(57)【要約】  電子機器（１０）は、複数の機能を有している。キーコード認識部（１３）は各機能に関連する設定項目についてパラメータの設定を要求するキーコードが入力されたことを認識する。記憶部（１７）は、他の設定項目との関係でパラメータの設定が制限される設定項目ごとに、その設定の制限に対処するための対処情報（１７２）を記憶している。キーコード認識部（１３）によってパラメータの設定を要求するキーコードの入力が認識されると、ガイダンス処理部（１５）はそのパラメータの設定が制限されるか否かを判別する。そして、ガイダンス処理部（１５）は、そのパラメータの設定が制限される場合に、設定の制限に対処するための対処情報（１７２）を記憶部（１７）から読み出して画面制御部（１４）に出力する。画面制御部（１４）は、対処情報（１７２）を表示部（１６）に表示する。
2009008382.tif 000002
【特許請求の範囲】
【請求項１】
複数の機能を有する電子機器であって、
前記各機能に関連する設定項目についてパラメータの設定が要求されたことを検出する設定要求検出手段と、
他の設定項目との関係でパラメータの設定が制限される設定項目ごとに、当該設定の制限に対処するための対処情報を記憶する対処情報記憶手段と、
前記設定要求検出手段によってパラメータの設定の要求が検出されたことに応答して、当該パラメータの設定が制限されるか否かを判別し、当該パラメータの設定が制限される場合に、当該設定の制限に対処するための前記対処情報を出力する対処情報処理手段と、
を備えることを特徴とする電子機器。
【請求項２】
前記対処情報は、前記設定の制限に対処するシナリオが記載されたシナリオ情報を含み、
前記対処情報処理手段は、前記シナリオ情報に従って前記対処情報を出力する、
ことを特徴とする請求項１に記載の電子機器。
【請求項３】
前記対処情報は、前記設定の制限を回避することができるパラメータを選択させるための選択情報を含み、
前記対処情報処理手段は、前記パラメータの設定が制限される場合に、前記選択情報を出力し、出力された前記選択情報に対応するパラメータの設定の要求が前記設定要求検出手段によって検出されたことに応答して、当該パラメータの設定の要求に従って前記設定の制限に対処する、
ことを特徴とする請求項２に記載の電子機器。
【請求項４】
前記対処情報は、優先して設定される優先パラメータと設定の制限を回避するために異なるパラメータに変更される非優先パラメータとを示す情報を含み、
前記選択情報は、前記優先パラメータを選択させるための優先選択情報を含み、
前記対処情報処理手段は、前記優先選択情報を出力し、出力された前記優先選択情報に対応する優先パラメータの設定の要求が前記設定要求検出手段によって検出されたことに応答して、当該優先パラメータを設定し、非優先パラメータを異なるパラメータに変更する、
ことを特徴とする請求項３に記載の電子機器。
【請求項５】
前記対処情報処理手段は、前記優先パラメータの設定の要求が前記設定要求検出手段によって検出されたことに応答して、前記非優先パラメータを設定できない状態にする、
ことを特徴とする請求項４に記載の電子機器。
【請求項６】
前記各機能と前記各設定項目を説明するガイダンス情報を記憶するガイダンス情報記憶手段と、
ガイダンスを要求するガイダンス要求を検出するガイダンス要求検出手段と、
前記ガイダンス要求検出手段によってガイダンス要求が検出されたことに応答して、当該ガイダンス要求に対応する前記ガイダンス情報を出力するガイダンス出力手段と、
を備えることを特徴とする請求項１に記載の電子機器。
【請求項７】
複数の機能を有する電子機器における情報出力方法であって、
他の前記各機能に関連する設定項目との関係でパラメータの設定が制限される前記各機能に関連する設定項目ごとに、当該設定の制限に対処するための対処情報を記憶する対処情報記憶工程と、
前記各機能に関連する設定項目についてパラメータの設定が要求されたことを検出する設定要求検出工程と、
前記設定要求検出工程でパラメータの設定要求が検出されたことに応答して、当該パラメータの設定が制限されるか否かを判別し、当該パラメータの設定が制限される場合に、当該設定の制限に対処するための前記対処情報を出力する対処情報処理工程と、
を備えることを特徴とする情報出力方法。
【請求項８】
前記対処情報は、前記設定の制限に対処するシナリオが記載されたシナリオ情報を含み、
前記対処情報処理工程では、前記シナリオ情報に従って前記対処情報を出力する、
ことを特徴とする請求項７に記載の情報出力方法。
【請求項９】
前記対処情報は、前記設定の制限を回避することができるパラメータを選択させるための選択情報を含み、
前記対処情報処理工程では、前記パラメータの設定が制限される場合に、前記選択情報を出力し、出力された前記選択情報に対応するパラメータの設定要求が前記設定要求検出工程で検出されたことに応答して、当該パラメータの設定要求に従って前記設定の制限に対処する、
ことを特徴とする請求項８に記載の情報出力方法。
【請求項１０】
前記対処情報は、優先して設定される優先パラメータと設定の制限を回避するために異なるパラメータに変更される非優先パラメータとを示す情報を含み、
前記選択情報は、前記優先パラメータを選択させるための優先選択情報を含み、
前記対処情報処理工程では、前記優先選択情報を出力し、出力された前記優先選択情報に対応する優先パラメータの設定要求が前記設定要求検出工程で検出されたことに応答して、当該優先パラメータを設定し、非優先パラメータを異なるパラメータに変更する、
ことを特徴とする請求項９に記載の情報出力方法。
【請求項１１】
前記対処情報処理工程では、前記優先パラメータの設定要求が前記設定要求検出工程で検出されたことに応答して、前記非優先パラメータを設定できない状態にする、
ことを特徴とする請求項１０に記載の情報出力方法。
【請求項１２】
前記各機能と前記各設定項目を説明するガイダンス情報を記憶するガイダンス情報記憶工程と、
ガイダンスを要求するガイダンス要求を検出するガイダンス要求検出工程と、
前記ガイダンス要求検出工程でガイダンス要求が検出されたことに応答して、当該ガイダンス要求に対応する前記ガイダンス情報を出力するガイダンス情報出力工程と、
を備えることを特徴とする請求項７に記載の情報出力方法。
【請求項１３】
複数の機能を有するコンピュータに、
他の前記各機能に関連する設定項目との関係でパラメータの設定が制限される前記各機能に関連する設定項目ごとに、当該設定の制限に対処するための対処情報を記憶する対処情報記憶手順と、
前記各機能に関連する設定項目についてパラメータの設定が要求されたことを検出する設定要求検出手順と、
前記設定要求検出手順でパラメータの設定要求が検出されたことに応答して、当該パラメータの設定が制限されるか否かを判別し、当該パラメータの設定が制限される場合に、当該設定の制限に対処するための前記対処情報を出力する対処情報処理手順と、
を実行させることを特徴とするプログラム。
【請求項１４】
前記対処情報は、前記設定の制限に対処するシナリオが記載されたシナリオ情報を含み、
前記対処情報処理手順では、前記シナリオ情報に従って前記対処情報を出力する、
ことを特徴とする請求項１３に記載のプログラム。
【請求項１５】
前記対処情報は、前記設定の制限を回避することができるパラメータを選択させるための選択情報を含み、
前記対処情報処理手順では、前記パラメータの設定が制限される場合に、前記選択情報を出力し、出力された前記選択情報に対応するパラメータの設定要求が前記設定要求検出手順で検出されたことに応答して、当該パラメータの設定要求に従って前記設定の制限に対処する、
ことを特徴とする請求項１４に記載のプログラム。
【請求項１６】
前記対処情報は、優先して設定される優先パラメータと設定の制限を回避するために異なるパラメータに変更される非優先パラメータとを示す情報を含み、
前記選択情報は、前記優先パラメータを選択させるための優先選択情報を含み、
前記対処情報処理手順では、前記優先選択情報を出力し、出力された前記優先選択情報に対応する優先パラメータの設定要求が前記設定要求検出手順で検出されたことに応答して、当該優先パラメータを設定し、非優先パラメータを異なるパラメータに変更する、
ことを特徴とする請求項１５に記載のプログラム。
【請求項１７】
前記対処情報処理手順では、前記優先パラメータの設定要求が前記設定要求検出手順で検出されたことに応答して、前記非優先パラメータを設定できない状態にする、
ことを特徴とする請求項１６に記載のプログラム。
【請求項１８】
前記各機能と前記各設定項目を説明するガイダンス情報を記憶するガイダンス情報記憶手順と、
ガイダンスを要求するガイダンス要求を検出するガイダンス要求検出手順と、
前記ガイダンス要求検出手順でガイダンス要求が検出されたことに応答して、当該ガイダンス要求に対応する前記ガイダンス情報を出力するガイダンス情報出力手順と、
を備えることを特徴とする請求項１３に記載のプログラム。
【発明の詳細な説明】
【技術分野】
【０００１】
本発明は、電子機器、情報出力方法およびプログラムに関する。
【背景技術】
【０００２】
多数の機能を備える電子機器は、その操作が複雑である。例えば、携帯電話機には、電話機能、電子メールの送受信機能、カメラ機能、音楽再生機能、Ｂｌｕｅｔｏｏｔｈ（ブルートゥース）機能、地上波ディジタルテレビ受信機能等が搭載されている。このような携帯電話機は、非常に便利なツールであるが、各機能について設定すべき対象が多い。
このような多数の機能を備える電子機器を使用する際には、各機能の概要説明、使用上の注意、補足説明、使用の制限の説明等の、簡単な説明から詳細な説明に至るきめの細かい説明をユーザが随時参照できることが望まれる。【０００３】
特許文献１には、複数の機能の操作ガイダンスを表示部に表示する操作ガイダンス表示機能を備えた移動通信端末装置が開示されている。この移動通信端末装置は、機能ごとにその機能についての操作を制限するか否かを登録した機能制限テーブルを備えている。この移動通信端末装置は、機能制限テーブルを参照することにより、操作が制限されている機能の操作ガイダンスの表示をグレーアウトする。【０００４】
また、特許文献２には、特定のキーが押下されると、ガイダンステーブルから操作ガイダンス情報を検索して表示器に操作ガイダンスを表示する携帯情報端末機が開示されている。
【特許文献１】特開平１１−１３６７６１号公報
【特許文献２】特開２００７−１１４８９号公報
【発明の開示】
【発明が解決しようとする課題】
【０００５】
上記特許文献１に記載の移動通信端末装置では、ユーザは操作ガイダンスの表示がどのような制限でグレーアウトされているのかということを知ることができない。また、グレーアウトされていない機能に関しては、設定すべき設定項目が有るのか無いのか、有る場合にはその設定項目にどのような制限があるのかわからない。そのため、設定すべき設定項目やその設定項目についての制限を知りたい場合には、取扱説明書を参照する必要がある。しかし、取扱説明書を持ち歩くことや取扱説明書を読むことはわずらわしい。このため、搭載されている機能であっても、ユーザがその使用をあきらめてしまうことがある。【０００６】
また、上記特許文献２に記載の携帯情報端末機では、ユーザは操作ガイダンスの表示に基づいて操作を行うことはできる。しかし、ある機能の使用が制限されている場合に、その制限を解除する方法ついて知るためには、ユーザは取扱説明書を読まなければならない。【０００７】
さらに、ユーザは、取扱説明書を読んで把握した制限を解除する方法に従って、該当する操作画面で個別に設定を変更しなければならない。また制限を解除するために複数の操作画面で複数の設定を変更しなければならない場合がある。【０００８】
本発明は、上記実情を鑑みてなされたものであり、設定の制限がある設定項目をユーザに最適に設定させることができる電子機器、情報出力方法およびプログラムを提供することを目的とする。
【課題を解決するための手段】
【０００９】
本発明の構成による電子機器は、複数の機能を有する電子機器であって、
前記各機能に関連する設定項目についてパラメータの設定が要求されたことを検出する設定要求検出手段と、
他の設定項目との関係でパラメータの設定が制限される設定項目ごとに、当該設定の制限に対処するための対処情報を記憶する対処情報記憶手段と、
前記設定要求検出手段によってパラメータの設定の要求が検出されたことに応答して、当該パラメータの設定が制限されるか否かを判別し、当該パラメータの設定が制限される場合に、当該設定の制限に対処するための前記対処情報を出力する対処情報処理手段と、
を備えることを特徴とする。【００１０】
本発明の構成による情報出力方法は、複数の機能を有する電子機器における情報出力方法であって、
他の前記各機能に関連する設定項目との関係でパラメータの設定が制限される前記各機能に関連する設定項目ごとに、当該設定の制限に対処するための対処情報を記憶する対処情報記憶工程と、
前記各機能に関連する設定項目についてパラメータの設定が要求されたことを検出する設定要求検出工程と、
前記設定要求検出工程でパラメータの設定要求が検出されたことに応答して、当該パラメータの設定が制限されるか否かを判別し、当該パラメータの設定が制限される場合に、当該設定の制限に対処するための前記対処情報を出力する対処情報処理工程と、
を備えることを特徴とする。【００１１】
本発明の構成によるプログラムは、複数の機能を有するコンピュータに、
他の前記各機能に関連する設定項目との関係でパラメータの設定が制限される前記各機能に関連する設定項目ごとに、当該設定の制限に対処するための対処情報を記憶する対処情報記憶手順と、
前記各機能に関連する設定項目についてパラメータの設定が要求されたことを検出する設定要求検出手順と、
前記設定要求検出手順でパラメータの設定要求が検出されたことに応答して、当該パラメータの設定が制限されるか否かを判別し、当該パラメータの設定が制限される場合に、当該設定の制限に対処するための前記対処情報を出力する対処情報処理手順と、
を実行させることを特徴とする。
【発明の効果】
【００１２】
本発明によれば、設定の制限がある設定項目をユーザに最適に設定させることができる電子機器、情報出力方法およびプログラムを提供することができる。
【図面の簡単な説明】
【００１３】
【図１】本発明の一実施形態に係る電子機器の一例を示すブロック図である。
【図２Ａ】記憶部に格納されるガイダンス情報の一例を示す図である。
【図２Ｂ】記憶部に格納されるガイダンス情報の一例を示す図である。
【図２Ｃ】記憶部に格納されるガイダンス情報の一例を示す図である。
【図２Ｄ】記憶部に格納されるガイダンス情報の一例を示す図である。
【図３Ａ】表示部に表示される画面の遷移の一例と、各画面に表示されるガイダンスを示す図である。
【図３Ｂ】表示部に表示される画面の遷移の一例と、各画面に表示されるガイダンスを示す図である。
【図３Ｃ】表示部に表示される画面の遷移の一例と、各画面に表示されるガイダンスを示す図である。
【図４】ガイダンス処理のフローチャートの一例である。
【図５】キー種別に対応して遷移するカメラ撮影ガイダンス画面での画面遷移処理のフローチャートの一例である。
【図６】記憶部に格納される対処情報の一例を示す図である。
【図７Ａ】画質設定画面に関連して画質設定が変更される場合のサポート処理のために表示される画面の遷移を示す図である。
【図７Ｂ】画質設定画面に関連して画質設定が変更される場合のサポート処理のために表示される画面の遷移を示す図である。
【図７Ｃ】画質設定画面に関連して画質設定が変更される場合のサポート処理のために表示される画面の遷移を示す図である。
【図７Ｄ】画質設定画面に関連して画質設定が変更される場合のサポート処理のために表示される画面の遷移を示す図である。
【図８】ユーザが設定を変更する操作を行った場合のサポート処理のフローチャートの一例である。
【図９】本発明の別の実施形態に係る電子機器の一例を示すブロック図である。
【符号の説明】
【００１４】
１０，１００    電子機器
１１    キー入力部
１２    制御部
１３    キーコード認識部
１４    画面制御部
１５    ガイダンス処理部
１６    表示部
１７    記憶部
２０    カメラ撮影画面
２１    カメラ撮影ガイダンス画面
２２    カメラ設定画面
２３    カメラ設定ガイダンス画面
２４，３２    画質設定画面
２５    画質設定ガイダンス画面
３０    画質設定サポート処理画面
３０ａ  画質設定表示領域
３０ｂ  サポート表示領域
３１    サイズ設定サポート処理画面
３１ａ  サイズ設定表示領域
３１ｂ  サポート表示領域
１２０  制御手段
１４０  画面制御手段
１５０  サポート処理手段
１７０  記憶部
１７１  ガイダンス情報
１７２  対処情報
１７３  設定項目メモリ
【発明を実施するための最良の形態】
【００１５】
本発明の一実施形態に係る電子機器について図面を参照して説明する。【００１６】
図１は、本発明の一実施形態に係る電子機器の一例を示すブロック図である。図１に示すように、電子機器１０は、キー入力部１１、制御部１２、表示部１６および記憶部１７を備える。【００１７】
制御部１２は、例えば、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やフラッシュメモリ等の各種メモリとを備える。制御部１２のＣＰＵは、例えば、メモリに記憶されているプログラムを実行することにより、キーコード認識部１３、画面制御部１４およびガイダンス処理部１５の処理を実現する。
また、記憶部１７は、例えば、フラッシュメモリやハードディスクを備える。記憶部１７は、後述するガイダンス情報１７１と対処情報１７２と設定項目メモリ１７３とを記憶する。【００１８】
キー入力部１１は、各種キーを含む。ユーザは、キー入力部１１の各種キーの操作によりキー入力情報を入力する。キーコード認識部１３は、キー入力部１１から入力されたキー入力情報を認識してユーザによって入力されたキー種別を判別する。
画面制御部１４は、キーコード認識部１３が判別したキー種別に基づいて、ガイダンス処理部１５と協働して、表示部１６にガイダンスを表示する。
ガイダンス処理部１５は、ガイダンス処理とサポート処理を実行する。【００１９】
ガイダンス処理は、ユーザによって入力されたキー種別に応じて機能の説明、使用制限、使用上の注意または補足説明等を表示部１６に表示する処理である。ガイダンス処理部１５は、ユーザによって入力されたキー種別に応じてガイダンス情報１７１を記憶部１７から読み出して、キー種別に応じた機能の説明、使用制限、使用上の注意または補足説明等を表示部１６に表示する。
設定項目メモリ１７３は、各機能に関連する設定項目の設定を記憶している。例えばカメラ機能を用いた写真撮影を行う場合、制御部１２は、設定項目メモリ１７３から画質やサイズ等の設定を読み出し、それらの設定に従って画質やサイズ等を設定して写真を撮影する。
サポート処理は、ユーザが各機能に関連する設定項目の設定を変更する際に、他の機能と競合が生じることを防ぎ、ユーザに使用の制限を回避させる処理である。ガイダンス処理部１５は、ユーザが記憶部１７の設定項目メモリ１７３に記憶されている各機能に関連する設定項目の設定を変更する際に、他の機能と競合が生じることを防ぎ、ユーザに使用の制限を回避させる。ガイダンス処理部１５は対処情報１７２を記憶部１７から読み出して、対処情報１７２に規定されている注意事項を表示部１６に表示する。また、他の機能との競合や使用の制限を解消するための設定をユーザに提案するガイダンスを表示部１６に表示する。そして、この設定の提案に対してユーザによって入力されるキー種別に従って、ガイダンス処理部１５は設定項目メモリ１７３に記憶されている機能に関連する設定項目の設定を変更する。【００２０】
表示部１６は、例えば、液晶ディスプレイを備える。表示部１６は、ガイダンス処理部１５により記憶部１７から読み出された機能説明、使用制限、使用上の注意または補足説明等を表示する。【００２１】
まず、ガイダンス処理について図面を参照して説明する。【００２２】
図２Ａ〜図２Ｄは、記憶部１７に格納されるガイダンス情報１７１の一例を示す図である。
図２Ａ〜図２Ｄは、「画質」と「サイズ」を設定する例である。図２Ｃに示すように、画質は、ファイン、ノーマル、エコノミーの３つのパラメータから選択して設定される。また、図２Ｄに示すように、サイズは、ＵＸＧＡ、ＳＸＧＡ、ＶＧＡの３つのパラメータから選択して設定される。
ただし、画質「ファイン」とサイズ「ＵＸＧＡ」は同時に設定することはできない。画質「ファイン」の設定はサイズ「ＵＸＧＡ」の設定との間係で使用制限を受け、サイズ「ＵＸＧＡ」の設定は画質「ファイン」の設定との間係で使用制限を受ける。【００２３】
ガイダンス情報１７１は、制御部１２が表示部１６に表示する画面毎に、その画面の内容に対応する機能や操作に関する説明を、「操作手順」、「カテゴリ」、「機能説明」、「使用制限／注意点／補足説明」および「対処」の各項目に分類したものである。図２Ａ〜図２Ｄは、カメラ機能に関するガイダンス情報１７１を示している。【００２４】
「操作手順」は、メニュー画面等の待ち受け画面から各機能に対応する画面に遷移するための、キー入力部１１の操作を示す。例えば「Ｍ４」は、最初にＭｅｎｕキーが操作され、次に４キーが操作された場合に表示される画面であることを示す。【００２５】
「カテゴリ」は、各画面で実行される機能の名称及び、その機能の内容を説明する機能説明とその機能の使用制限／注意点／補足説明の内容に基づく分類を示す。第１のカテゴリは、操作に従って表示される画面で実行される機能の名称であり、「操作手順」に対応した画面の遷移の経緯を示す。第２のカテゴリは、機能の名称や機能説明、使用制限／注意点／補足説明の内容に基づいた分類の名称を示す。例えば、カメラ撮影全般についての説明である場合、分類の名称は「全般」である。撮影時についての説明である場合、分類の名称は「撮影時」である。また、機能の内容に対応して分類の名称が付されている場合、名称の前後に＜＞が付されている。例えば、画質設定という機能の内容に対応して＜画質設定＞という分類の名称が付されている。第３のカテゴリは、第２のカテゴリの内容、実行される機能の内容および説明の内容に基づく分類を示す。第３のカテゴリは、例えば、当該電子機器のハードウエアに関する説明であることを意味する「ハード」、当該機能の動作や設定の条件に関連する説明であることを意味する「仕様」および当該電子機器を使用する際の設定に関する説明であることを意味する「設定」等を示す。【００２６】
「機能説明」は、各機能の概要説明である。「使用制限／注意点／補足説明」は、各機能を使用する際の制限事項、注意事項または補足事項の説明である。「対処」は、各画面においてイベントが発生した場合の処置を規定したものである。
例えば、図２Ａ〜図２Ｄは当該電子機器がカメラ機能付き携帯電話装置であった場合のガイダンス情報を示している。図２Ａの「対処」の欄には、当該カメラ機能付き携帯電話装置がカメラとして使用されている時に着信呼というイベントが発生した場合には、撮影を中断して、呼が着信した旨を示すポップアップメセージを画面に表示することが規定されている。また、図２Ｃの「使用制限／注意点／補足説明」の欄に示すように、画質設定「ファイン」とサイズ設定「ＵＸＧＡ」は組み合わせて設定できない。図２Ｃの「対処」の欄には、「ＵＸＧＡ」が設定されている状態で、画質設定画面において「ファインを選択」というイベントが発生した場合に、後述する使用制限に関する対処情報１７２に従って処理することが規定されている。【００２７】
次に、ガイダンス処理部１５が、図２Ａ〜図２Ｄのガイダンス情報１７１に基づいて実行するガイダンス処理の動作について図３〜５を参照して説明する。【００２８】
図３Ａ〜図３Ｃは、表示部１６に表示される画面の遷移の一例と、各画面に表示されるガイダンスを示す図である。図３Ａ〜図３Ｃでは、電子機器として携帯電話装置を想定し、カメラ機能に関する画面の遷移を示している。【００２９】
図３Ａは、カメラ撮影画面２０とカメラ撮影ガイダンス画面２１を示す。図３Ｂは、撮影に関連する各種の設定に関する画面であるカメラ設定画面２２とカメラ設定ガイダンス画面２３を示す。また、図３Ｃは、画質設定画面２４と画質設定ガイダンス画面２５を示す。【００３０】
画面制御部１４は、特定のキーが押下されたことに応答して、各機能を実行するための画面から各機能のガイダンス画面へ遷移させる。画面制御部１４は、例えば、▲キーが長押しされた場合にガイダンス画面へ遷移させる。【００３１】
ユーザは、キー入力部１１を操作してカメラを起動する。例えばＭ４、すなわちユーザが最初にＭｅｎｕキーを操作し、次に４キーを操作することにより、カメラが起動する。キーコード認識部１３はユーザによって入力されたキー種別を判別し、カメラの起動が指示されたことを画面制御部１４に通知する。画面制御部１４は、図３Ａに示すように、表示部１６にカメラ撮影用の画面であるカメラ撮影画面２０を表示する。当該画面における表示の「カメラ撮影」は画面名称を示し、「Ｍ４」は待ち受けている状態から入力されたキー種別を示す。また、画面制御部１４は、日時、「ビデオ」キー、「Ｂａｃｋ」キー、「ＭＥＮＵ」キーも表示する。【００３２】
画面制御部１４は、図３Ａに示すように、カメラ撮影画面２０が表示された状態で▲キーが長押しされると、カメラ撮影ガイダンス画面２１に遷移させる。【００３３】
キーコード認識部１３は、▲キーが長押しされたことを認識すると、▲キーが長押しされたことを判別して画面制御部１４に通知する。画面制御部１４は、▲キーが長押しされたことに応答して、現在表示している画面の情報、すなわち「Ｍ４」をガイダンス処理部１５に通知し、ガイダンス処理の実行を指示する。ガイダンス処理部１５はこの指示に応答してガイダンス処理を行う。【００３４】
図４は、ガイダンス処理のフローチャートの一例である。図４を参照して、ガイダンス処理について説明する。【００３５】
ガイダンス処理部１５は、画面制御部１４からガイダンス処理の指示を受けると、まず、表示部１６に表示されている画面に対応するガイダンス情報１７１が記憶部１７に登録されているか否かを判断する（ステップＳＴ１０１）。ガイダンス処理部１５は、現画面に対応するガイダンス情報１７１が記憶部１７に登録されている場合には（ステップＳＴ１０１；Ｙｅｓ）、該当するガイダンス情報１７１を読み出す（ステップＳＴ１０２）。ガイダンス処理部１５は、例えば、画面Ｍ４に対応するガイダンス情報を読み出して、図示しないバッファ等に格納する。ガイダンス処理部１５は、表示部１６に表示されている画面に対応するガイダンス情報が記憶部１７に登録されていない場合は、ガイダンス処理を終了する（ステップＳＴ１０１；Ｎｏ）。なお、その際、ガイダンス処理部１５は、表示部１６に表示されている画面に対応するガイダンス情報が存在しない旨を表示してもよい。【００３６】
ガイダンス処理部１５は、読み出したガイダンス情報１７１に基づいて表示部１６へ表示されるガイダンス画面情報を作成する（ステップＳＴ１０３）。まず、ガイダンス処理部１５は、ガイダンス画面であることを示す「◆ガイダンス」の文字を生成する。続いて、ガイダンス処理部１５は、「機能説明」として表示される表示情報を生成する。すなわち、ガイダンス処理部１５は、上記読み出されたＭ４に対応するガイダンス情報１７１から上述した第２のカテゴリごとに機能説明を読み出し、先頭に登録されている機能説明の内容を、「［機能説明］」の表記と共に、機能説明の最初に表示される表示情報とする。図２Ａのガイダンス情報１７１には、機能説明は１件しか登録されていないため、ガイダンス処理部１５はこの内容を機能説明に表示される表示情報とする。２件以上の機能説明が登録されている場合、ガイダンス処理部１５は２件以上の「機能説明」が登録されている旨の情報を機能説明に表示される表示情報に加える。図２Ａの例では、１件の機能説明しか登録されていないので、ガイダンス処理部１５は、２件以上の「機能説明」が登録されている旨の情報を加えない。【００３７】
続いて、ガイダンス処理部１５は、「使用制限」として表示される表示情報を生成する。すなわち、ガイダンス処理部１５は、上記読み出されたＭ４に対応するガイダンス情報１７１から第２のカテゴリごとに使用制限／注意点／補足説明を読み出し、それぞれを分類して「使用制限」に表示される表示情報とする。図２Ａに示した例では、第２のカテゴリ＜全般＞に対応する使用制限／注意点／補足説明と、第２のカテゴリ＜撮影時＞に対応する使用制限／注意点／補足説明がある。したがって、ガイダンス処理部１５は、第２のカテゴリ＜全般＞に対応する使用制限／注意点／補足説明を「使用制限＜全般＞」に表示される表示情報、第２のカテゴリ＜撮影時＞に対応する使用制限／注意点／補足説明を「使用制限＜撮影時＞」に表示される表示情報とする。そして、ガイダンス処理部１５は、第２のカテゴリ毎に２件以上の使用制限／注意点／補足説明が登録されている場合、ガイダンス処理部１５は２件以上の使用制限／注意点／補足説明が登録されている旨を各表示情報に加える。図２Ａの例では、第２のカテゴリ＜全般＞と第２のカテゴリ＜撮影時＞の両方とも、２件以上の使用制限／注意点／補足説明が登録されているので、ガイダンス処理部１５は、２件以上の使用制限／注意点／補足説明が登録されている旨の情報を加える。【００３８】
ガイダンス処理部１５は、上記生成した表示情報を画面制御部１４に通知する。画面制御部１４は、受け取った表示情報を順に表示部１６に表示する（ステップＳＴ１０４）。すなわち、画面制御部１４は、まず、画面の表示領域を４つに分割し、１つ目の領域に「◆ガイダンス」を表示する。次に、画面制御部１４は、２つ目の領域に１件目の「機能説明」を、「［機能説明］」の表記と共に、表示できる文字まで表示する。画面制御部１４は、表示できない文字は自動的にスクロールして全文を表示するようにしてもよい。あるいはユーザが選択キーを押したときに、画面制御部１４は全文を画面に表示するようにしてもよい。画面制御部１４は、画面サイズや表示する文字数等に基づいて、最適な方法で表示すればよい。【００３９】
また、画面制御部１４は、ガイダンス処理部１５から２件以上の「機能説明」が登録されている旨の通知を受けた場合は、この２つ目の領域の下方に▼印を表示する。これにより機能説明が２件以上存在していることが示される。ここでは１件の機能説明しか登録されていないので、画面制御部１４は、▼印を表示しない。【００４０】
「機能説明」の表示が終了すると、続いて画面制御部１４は３つ目の領域に「使用制限＜全般＞」の表示を行う。すなわち、画面制御部１４は、まずガイダンス処理部１５から受け取った「使用制限＜全般＞」の表示情報を「［使用制限］＜全般＞」の表記と共に表示できる文字まで３つ目の領域に表示する。また、「使用制限＜全般＞」は２件以上登録されている旨の通知をガイダンス処理部１５から受け取っているので、画面制御部１４は３つ目の領域の下方に▼印を表示する。【００４１】
続いて、画面制御部１４は４つ目の領域に「使用制限＜撮影時＞」の表示情報を、「［使用制限］＜撮影時＞」の表記と共に表示できる文字まで表示する。この表示情報も２件以上登録されている旨の通知を受け取っているので、画面制御部１４は４つ目の領域の下方に▼印を表示する。【００４２】
画面制御部１４は、上記のようにガイダンス表示処理を終了したら、図３Ａに示すように、カーソルを２つ目の領域の先頭に当てる（ステップＳＴ１０５）。以上で、画面制御部１４およびガイダン処理部１５によるカメラ撮影ガイダンス画面２１の表示処理を終了する。【００４３】
続いて、図５を参照してカメラ撮影ガイダンス画面２１での画面の遷移について説明する。図５は、キー種別に対応して遷移するカメラ撮影ガイダンス画面２１での画面遷移処理のフローチャートの一例である。【００４４】
カメラ撮影ガイダンス画面２１が表示部１６に表示されている状態で、▼キーが押下されたことをキーコード認識部１３が判別すると（ステップＳＴ２０１；Ｙｅｓ）、キーコード認識部１３はその旨を画面制御部１４に通知する。画面制御部１４は、この通知に応答し、カーソルを当てている表示領域に▼印を表示しているか否かを判断する（ステップＳＴ２０２）。表示している場合は（ステップＳＴ２０２；Ｙｅｓ）、画面制御部１４は、カーソルを当てている表示領域に表示すべき次の機能説明または使用制限を表示する（ステップＳＴ２０３）。これにより、ユーザはカメラ撮影に関するすべての機能説明および使用制限を参照することができる。【００４５】
一方、カメラ撮影ガイダンス画面２１が表示部１６に表示されている状態で、▼キーが長押しされたことをキーコード認識部１３が判別すると（ステップＳＴ２０４；Ｙｅｓ）、キーコード認識部１３はその旨を画面制御部１４に通知する。画面制御部１４は、この通知に応答し、カーソルを現在当てている領域から次の領域に移動する（ステップＳＴ２０５）。これにより、ユーザは参照したい機能説明または使用制限のカテゴリを変更できる。【００４６】
さらに、キーコード認識部１３は「Ｂａｃｋ」に対応するキーが押下されたことを判別すると（ステップＳＴ２０６；Ｙｅｓ）、その旨を画面制御部１４に通知する。画面制御部１４は、これに応答して前画面の表示に戻す（ステップＳＴ２０７）。すなわち、画面制御部１４は、図３Ａに示すように、カメラ撮影ガイダンス画面２１からカメラ撮影画面２０に遷移させ、表示部１６にカメラ撮影画面２０を表示する。【００４７】
カメラ撮影画面２０が表示されている状態で、Ｍｅｎｕキーが押下されたことをキーコード認識部１３が判別すると、画面制御部１４は、カメラ撮影画面２０からカメラ設定画面２２に遷移させる。画面制御部１４は、図３Ｂに示すように、表示部１６にカメラ設定画面２２を表示する。そして、画面制御部１４は、画面名称「カメラ設定」と、メニュー画面等の待ち受け画面からカメラ設定画面２２に遷移するまでの操作を示す操作手順「Ｍ４Ｍ」をタイトルとして表示する。また、画面制御部１４は、カメラ設定項目として、「１．画質設定（Ｍ４Ｍ１）」、「２．サイズ設定（Ｍ４Ｍ２）」等を表示する。画面制御部１４は、カメラ設定画面２２を表示後、カーソルをカメラ設定項目の最初の項目、ここでは「１．画質設定（Ｍ４Ｍ１）」に当てる。【００４８】
上記カメラ設定画面２２が表示され、「１．画質設定（Ｍ４Ｍ１）」にカーソルが当てられている状態で、▲キーが長押しされたことをキーコード認識部１３が判別すると、キーコード認識部１３はその旨を画面制御部１４に通知する。画面制御部１４は、これに応答して、ガイダンス処理部１５に対してカメラ設定画面２２に関連するガイダンスを表示するためのガイダンス処理の実行を指示する。このガイダンス処理は、上述した図４と同様の手順で行われるため説明を省略する。ガイダンス処理により、カメラ設定画面２２に関連するカメラ設定ガイダンス画面２３が図３Ｂに示すように表示される。また、このカメラ設定ガイダンス画面２３で入力されるキー種別に対応する画面遷移も図５に示したものと同様であるため説明を省略する。【００４９】
さらに、図３Ｂに示すカメラ設定画面２２において、カーソルが当たっている「１．画質設定（Ｍ４Ｍ１）」の状態でユーザが「Ｓｅｌｅｃｔ」キーを押下して画質設定を選択すると、画面制御部１４は表示部１６の表示を図３Ｃの画質設定画面２４に遷移させる。画面制御部１４は、該当カメラ機能で設定が可能な画質の種類を表示し、現在設定されている画質の種類のチェックボックスにチェックマークを表示する。図３Ｃの例では、画質の種類として「ファイン」、「ノーマル」、「エコノミー」の３種類があり、現在は「ノーマル」に画質が設定されている。【００５０】
この画質設定画面２４に対応するガイダンス画面である画質設定ガイダンス画面２５の表示とユーザによって入力されたキー種別に対応する画質設定ガイダンス画面２５での画面の遷移は前述した各画面と同様なので説明を省略する。【００５１】
次に、サポート処理について図面を参照して説明する。【００５２】
ガイダンス処理部１５は、ユーザが設定項目メモリ１７３に記憶されている各機能に関連する設定項目の設定を変更する際に、ユーザの操作を支援し、他の機能との競合や使用制限が解消される最適な設定で設定項目メモリ１７３に記憶されている各機能に関連する設定項目の設定をユーザに変更させる。【００５３】
図６は、記憶部１７に格納される対処情報１７２の一例を示す図である。対処情報１７２は、使用制限、すなわち組み合わせて設定することができないパラメータの説明や、そのような使用制限への対処等の、対処のためのシナリオが記述されたシナリオ情報を記憶する。図６は、使用制限の例として、画質設定「ファイン」とサイズ設定「ＵＸＧＡ」を選択する場合の使用制限を示す。【００５４】
対処情報１７２には、表示部１６に表示される画面毎に、その画面に対応する使用制限が、「操作手順」、「設定項目」および「使用制限」の各項目に分類して登録される。「使用制限」は、さらに「制限対象」、「使用制限説明」、「該否判定画面」、「優先順位」および「対処」の各項目に分けられる。「操作手順」は、メニュー画面等の待ち受け画面から当該画面に遷移する際の、キー入力部１１における操作手順を示す。「設定項目」は、使用制限を受ける設定項目の名称を示す。「制限対象」は、「設定項目」で示された設定項目に含まれる使用制限を行うべきパラメータの名称である。「使用制限説明」は使用制限の内容の説明である。「該否判定画面」は、使用制限を行う必要があるか否かを判定する画面を示す。全ての画面で該否判定する必要がある設定項目の場合は「ＡＬＬ」と記載し、複数の画面で該否判定する必要がある設定項目の場合は待ち受け画面から該当の画面までの操作手順を併記してもよい。【００５５】
「優先順位」は、設定項目を設定する際に優先順位を付けることが必要な場合に付される優先度情報である。図６の例では、ユーザによるキーの操作によって画質設定「ファイン」とサイズ設定「ＵＸＧＡ」の設定が競合した場合、制御部１２は画質設定「ファイン」を優先して設定する。そして、制御部１２は、使用制限を回避するため、サイズ設定「ＵＸＧＡ」をサイズ設定「ＳＸＧＡ」に変更する。例えば、サイズ設定「ＵＸＧＡ」が設定されている状態で画質設定「ファイン」が選択された場合、制御部１２は画質設定「ファイン」を優先して設定する。すなわち、制御部１２は、画質設定「ファイン」の設定を受け付ける。この場合、画質設定「ファイン」が優先パラメータであり、サイズ設定「ＵＸＧＡ」が非優先パラメータである。【００５６】
制御部１２は、サイズ設定「ＵＸＧＡ」の表示をグレーアウトしてサイズ設定「ＵＸＧＡ」を設定できない状態にする。そして、制御部１２は、サイズ設定を「ＳＸＧＡ」に仮設定し、表示部１６にその確認メッセージを表示する（詳細は後述する）。「対処」には、上記「優先順位」に従ってガイダンス処理部１５が実行する処理が一種の対処のためのシナリオとして記載されている。すなわち、「対処」には、使用制限に違反しない設定の選択肢と、その選択肢ごとのシナリオが記載されている。【００５７】
上記対処情報１７２を参照するサポート処理について、図７Ａ〜図７Ｄと図８を参照して説明する。図７Ａ〜図７Ｄは、図３Ｃに示した画質設定画面２４に関連して画質設定が変更される場合に、サポート処理のために表示される画面の遷移を示す図である。図７Ａ〜図７Ｄは、画質設定「ノーマル」に設定されている画質設定画面２４において、ユーザが画質設定「ノーマル」から画質設定「ファイン」に変更する場合のサポート処理を示す。【００５８】
ユーザが▲キーを押下してカーソルを移動して「ファイン」を指定し、さらに「Ｓｅｌｅｃｔ」キーを押下すると、キーコード認識部１３がそれらのキー種別を判別し、画面制御部１４に通知する。画面制御部１４は、現在選択されている設定、ここでは画質設定「ノーマル」を保持しており、ユーザが画質設定「ノーマル」から画質設定「ファイン」に変更する操作を行ったことを認識する。画質設定が変更されたことを認識すると、画面制御部１４はガイダンス処理部１５にサポート処理を行うことを指示する。【００５９】
図８は、ユーザが設定を変更する操作を行った場合のサポート処理のフローチャートの一例である。【００６０】
ガイダンス処理部１５は、ユーザの操作に対応する対処情報１７２が記憶部１７に格納されているか否かを調べる（ステップＳＴ３０１）。すなわち、ガイダンス処理部１５は、ユーザに設定されたパラメータが、記憶部１７に格納されている対処情報１７２の「制限対象」と一致するか否かを判定する。一致しない場合（ステップＳＴ３０１；Ｎｏ）、ガイダンス処理部１５はサポート処理を終了する。【００６１】
一方、一致する場合（ステップＳＴ３０１；Ｙｅｓ）、ガイダンス処理部１５は記憶部１７からユーザに設定されたパラメータと「制限対象」が一致する対処情報１７２を読み出す（ステップＳＴ３０２）。ここでは、ユーザに設定されたパラメータと制限対象「ファイン」が一致したので、ガイダンス処理部１５は図６に示す対処情報１７２を読み出すものとする。そして、ガイダンス処理部１５は表示されている画面が対処情報１７２に含まれる「該否判定画面」と一致するか否かを判定する（ステップＳＴ３０３）。ここでは、表示されている画面「Ｍ４Ｍ１」と対処情報１７２に含まれる該否判定画面「Ｍ４Ｍ１」が一致するものとする（ステップＳＴ３０３；Ｙｅｓ）。【００６２】
ガイダンス処理部１５は、表示されている画面の機能名称「画質設定」と制限対象「ファイン」とに対応する「対処」を、対処情報１７２から読み出し（ステップＳＴ３０４）、「対処」の内容に従って処理する（ステップＳＴ３０５）。ここでは、画質設定「ファイン」が選択されているため、「“サイズＵＸＧＡは設定できません。設定変更しますか？［ＹＥＳ］ｏｒ［ＮＯ］”を表示する」という内容を読み出して、画面制御部１４に出力する。画面制御部１４は、図７Ｂの画質設定サポート処理画面３０に示すように、表示部１６の表示領域を画質設定表示領域３０ａとサポート表示領域３０ｂに分ける。そして、画面制御部１４は、画質設定表示領域３０ａにチェックが付された「ファイン」を表示し、サポート管理表示領域３０ｂにガイダンス処理部１５から受け取った「サイズＵＸＧＡは設定できません。設定変更しますか？［ＹＥＳ］ｏｒ［ＮＯ］」を表示する。【００６３】
画質設定サポート処理画面３０が表示されている状態で、ユーザが「ＮＯ」に対応するキーを押下した場合、キーコード認識部１３がそのキー種別を判別し、画面制御部１４に「ＮＯ」に対応するキーが押下されたことを通知する。画面制御部１４は、「ＮＯ」が選択されたことをガイダンス処理部１５に通知する。ガイダンス処理部１５は、「ＮＯ」が選択された場合の「対処」の内容、すなわち「［ＮＯ］選択時対応処理：画質設定“ファイン”設定前画面へ自動遷移」に基づいて、「ファイン」設定前の画面に遷移するように画面制御部１４に指示する。つまり、ガイダンス処理部１５は、画質設定画面２４に表示を戻すように、画面制御部１４に指示する。画面制御部１４は、表示部１６に画質設定画面２４を表示する。【００６４】
一方、ユーザが「ＹＥＳ」に対応するキーを押下した場合、キーコード認識部１３がそのキー種別を判別し、画面制御部１４に「ＹＥＳ」に対応するキーが押下されたことを通知する。画面制御部１４は、「ＹＥＳ」が選択されたことをガイダンス処理部１５に通知する。ガイダンス処理部１５は、「ＹＥＳ」が選択された場合の「対処」の内容に従って処理する。すなわち、ガイダンス処理部１５は、「［ＹＥＳ］選択時対応処理」である「サイズ設定“ＵＸＧＡ”の表示をグレーアウトする」こと、「サイズ設定“ＵＸＧＡ”が選択されている場合、サイズ設定“ＳＸＧＡ”に変更」すること、および「画質“ファイン”選択によりＵＸＧＡは選択できない為、グレーアウト表示にしています。ＳＸＧＡに仮設定しました。よろしいですか？［ＹＥＳ］ｏｒ［ＮＯ］」を表示することを、画面制御部１４に指示する。【００６５】
画面制御部１４は、図７Ｃに示すように、表示部１６の表示領域をサイズ設定表示領域３１ａとサポート管理表示領域３１ｂに分ける。そして、画面制御部１４は、サイズ設定表示領域３１ａに、グレーアウトされた“ＵＸＧＡ”、チェックが付された“ＳＸＧＡ”、および“ＶＧＡ”を表示する。次に、画面制御部１４は、サポート管理表示領域３０ｂに、ガイダンス処理部１５から受け取った「画質“ファイン”選択によりＵＸＧＡは選択できない為、ＵＸＧＡの表示はグレーアウトしています。ＳＸＧＡに仮設定しました。よろしいですか？［ＹＥＳ］ｏｒ［ＮＯ］」を表示する。【００６６】
サイズ設定サポート処理画面３１が表示されている状態で、ユーザが「ＮＯ」に対応するキーを押下すると、キーコード認識部１３がそのキー種別を判別し、画面制御部１４に「ＮＯ」に対応するキーが押下されたことを通知する。画面制御部１４は、「ＮＯ」が選択された旨をガイダンス処理部１５に通知する。ガイダンス処理部１５は、「ＮＯ」が選択された場合の「対処」の内容、すなわち「［ＮＯ］選択時、“ファイン”設定前の画質設定画面へ自動遷移」に従って処理する。つまり、ガイダンス処理部１５は、画面制御部１４に図７Ａの画質設定画面２４に表示を戻すように指示する。画面制御部１４は、表示部１６に画質設定画面２４を表示する。【００６７】
一方、ユーザが「ＹＥＳ」に対応するキーを押下した場合は、ガイダンス処理部１５は、「ＹＥＳ」が選択された場合の「対処」の内容、すなわち「［ＹＥＳ］選択時、設定データを登録し、“ファイン”設定画質設定画面へ自動遷移」に従って処理する。そして、ガイダンス処理部１５は、記憶部１７の設定項目メモリ１７３の画質設定とサイズ設定についてのパラメータの設定を、画質「ファイン」、サイズ「ＳＸＧＡ」として更新する。そして、図７Ｄの「ファイン」が選択された画質設定画面３２に遷移し、「ファイン」設定に関するサポート処理を終了する。【００６８】
以上のように、上記実施形態では、特定のキーの押下に応じてガイダンス処理部１５が対応するガイダンス情報１７１を読み出し、画面制御部１４が表示部１６に表示する。本発明によれば、ユーザが所望する取扱説明書レベルの内容の説明が画面単位で表示されるので、ユーザは取扱説明書が無くても、画面単位の表示を見ることによって、電子機器に搭載・実装された各種の機能を容易に使いこなすことができる。【００６９】
また、上記実施形態では、他の機能と競合して使用制限を受けるようなパラメータが存在する設定項目について設定する場合に、ガイダンス処理部１５が対処情報１７２を読み出し、画面制御部１４が表示部１６にガイダンスを表示する。本発明によれば、設定の制限がある設定項目をユーザに最適に設定させることができる。すなわち、ユーザはガイダンスに従って操作することにより、そのような機能に関連する全ての設定を一度に行うことができる。このため、ユーザは取扱説明書を参照して機能の競合を回避しながら、関連する設定を個々に行う必要がなくなる。このように、本発明は、多数の機能を備え、操作が複雑化した電子機器においても、優れた操作性を実現することができる。【００７０】
なお、上記実施形態では、キーコード認識部１３、画面制御部１４およびガイダンス処理部１５は、制御部１２におけるプログラムにより実現されるとしたが、キーコード認識部１３、画面制御部１４およびガイダンス処理部１５をハードウェアによって実現しても良い。【００７１】
また、上記実施形態では、電子機器として携帯電話装置について説明したが、本発明は、それに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔｓ：個人向け携帯型情報通信機器）等の携帯機器にも適用できる。また、携帯機器に限らず、パーソナルコンピュータ、デジタルカメラ、ＦＡＸ等の電子機器にも適用できる。【００７２】
また、本発明は、提供される機能とこの機能に関連する設定項目を設定する操作に関するガイダンスを表示する表示部を有する電子機器であれば適用することができる。例えば、図９は、本発明の別の実施形態に係る電子機器の一例を示すブロック図である。電子機器１００は、記憶部１７０、画面制御手段１４０とサポート処理手段１５０を最小構成として備える。記憶部１７０は、ある機能と他の機能との競合を防ぐために使用制限される設定項目ごとに、その使用制限に対処するための情報を含む対処情報を格納する。サポート処理手段１５０は、使用制限される設定項目のパラメータを設定する操作が入力されると、対処情報に含まれる設定項目に関する使用制限の対処の情報を記憶部１７０から読み出して画面制御手段１４０に出力する。画面制御手段１４０は、受け取った対処情報を表示部１６に表示する。【００７３】
以上、本発明の実施形態について説明したが、設計上の都合やその他の要因によって必要となる様々な修正や組み合わせは、請求項に記載されている発明や発明の実施の形態に記載されている具体例に対応する発明の範囲に含まれると理解されるべきである。【００７４】
また、本出願は、２００７年７月１２日にされた日本国特許出願特願２００７−１８２９７０号に基づく。本明細書中に、それらの明細書、特許請求の範囲、図面全体を参照として取り込むものとする。
【産業上の利用可能性】
【００７５】
本発明は、携帯電話装置、ＰＨＳやＰＤＡ等の携帯機器、パーソナルコンピュータやデジタルカメラやＦＡＸ等の電子機器に利用することができる。
【図１】
2009008382.tif 000003
【図２Ａ】
2009008382.tif 000004
【図２Ｂ】
2009008382.tif 000005
【図２Ｃ】
2009008382.tif 000006
【図２Ｄ】
2009008382.tif 000007
【図３Ａ】
2009008382.tif 000008
【図３Ｂ】
2009008382.tif 000009
【図３Ｃ】
2009008382.tif 000010
【図４】
2009008382.tif 000011
【図５】
2009008382.tif 000012
【図６】
2009008382.tif 000013
【図７Ａ】
2009008382.tif 000014
【図７Ｂ】
2009008382.tif 000015
【図７Ｃ】
2009008382.tif 000016
【図７Ｄ】
2009008382.tif 000017
【図８】
2009008382.tif 000018
【図９】
2009008382.tif 000019
【国際調査報告】
2009008382.tif 000020
2009008382.tif 000021
2009008382.tif 000022
2009008382.tif 000023
2009008382.tif 000024